(57)【要約】【課題】本発明の目的は、手首、前腕、すね又は足首に密着させる伸縮性を有した衣類の着用時に、上腕または大腿に捻れを生じさせない衣類を提供することにある。【解決手段】ニット、織物、不織布、ビニル、紙などの素材が用いられ、手首又は前腕に密着させて着用させ、長手方向の脇側にある縫目１２の先端または先端側を、軸に対して正面側に概ね９０度回転させた位置に、着用目印１１が配置され、伸縮性（ゴムを用いてもよい）を有する筒先１０を２つ備え、上半身に着用する上部１と、すね又は足首に密着させて着用させ、長手方向の股側にある縫目２２の先端または先端側を、軸に対して正面側に概ね９０度回転させた位置に、着用目印２１が配置され、該伸縮性を有する筒先２０を２つ備え、下半身に着用する下部２と、から構成されることを特徴とする。【選択図】図１
2014132124.tif 000002
【特許請求の範囲】
【請求項１】
手首、又は前腕に密着させて着用させ、長手方向の脇側にある縫目（１２）の先端または先端側を、軸に対して正面側に概ね９０度回転させた位置に、所定の着用方法により上腕の捻れを防ぐ着用目印（１１）が配置され、伸縮性を有する筒先（１０）を２つ備えることを特徴とする衣類。
【請求項２】
手首、又は前腕に密着させて着用させ、縁または先端側で、かつ、正面側の中間位置に、所定の着用方法により上腕の捻れを防ぐ着用目印（１１）が配置され、伸縮性を有する筒先（１０）を２つ備えることを特徴とする衣類。
【請求項３】
すね、又は足首に密着させて着用させ、長手方向の股側にある縫目（２２）の先端または先端側を、軸に対して正面側に概ね９０度回転させた位置に、所定の着用方法により大腿の捻れを防ぐ着用目印（２１）が配置され、伸縮性を有する筒先（２０）を２つ備えることを特徴とする衣類。
【請求項４】
すね、又は足首に密着させて着用させ、縁または先端側で、かつ、正面側の中間位置に、所定の着用方法により大腿の捻れを防ぐ着用目印（２１）が配置され、伸縮性を有する筒先（２０）を２つ備えることを特徴とする衣類。
【請求項５】
前記着用目印が素材の表または裏に配置されていることを特徴とする請求項１ないし請求項４のいずれかに記載の衣類。
【発明の詳細な説明】
【技術分野】
【０００１】
本発明は、衣類に関する。
【背景技術】
【０００２】
従来、衣類が知られる。例えば特開２０１１−１０６０５６号公報に記載の技術は、使用目的や状況に応じて袖を着脱できるジャケットの技術が開示されている。
【先行技術文献】
【特許文献】
【０００３】
【特許文献１】特開２０１１−１０６０５６号公報
【発明の開示】
【発明が解決しようとする課題】
【０００４】
ところで、上記従来の衣類は、半袖のジャケット本体に着脱自在に長袖となる両袖が装着されている。然るに、手首、前腕、すね又は足首などに密着させる伸縮性を有した衣類の着用時に、多くの該衣類に共通して、上腕または大腿などに捻れが生じると言った問題があった。
【０００５】
そこで、本発明の目的は、手首、前腕、すね又は足首などに密着させる伸縮性を有した衣類の着用時に、多くの該衣類に共通して、上腕または大腿などに捻れを生じさせない衣類を提供することにある。
【課題を解決するための手段】
【０００６】
上記の課題を解決するため本発明の衣類は、手首、又は前腕に密着させて着用させ、長手方向の脇側にある縫目（１２）の先端または先端側を、軸に対して正面側に概ね９０度回転させた位置に、所定の着用方法により上腕の捻れを防ぐ着用目印（１１）が配置され、伸縮性を有する筒先（１０）を２つ備えることを特徴とする。
【０００７】
また、すね、又は足首に密着させて着用させ、長手方向の股側にある縫目（２２）の先端または先端側を、軸に対して正面側に概ね９０度回転させた位置に、所定の着用方法により大腿の捻れを防ぐ着用目印（２１）が配置され、伸縮性を有する筒先（２０）を２つ備えることを特徴としてもよい。
【発明の効果】
【０００８】
本発明によれば、衣類は手首、前腕、すね又は足首に密着させる伸縮性を有した衣類の着用時に、着用目印を手の内側、すねまたは足首の正面に合せるように着用することで、上腕または大腿に捻れを生じさせないことができる。
【０００９】
また、例えば、セーターにおいて、伸縮する袖先に腕を通すと袖の正面がわからない状態なので、着用後に上腕部に捻れが生じてしまうが、本発明は着用目印により袖の正面が明らかとなり所定の着用方法により上腕部の捻れが生じなくなる。また、例えば、ステテコにおいて、伸縮する裾先に足を通すと裾の正面がわからない状態なので、着用後に大腿部に捻れが生じてしまうが、本発明は着用目印により裾の正面が明らかとなり所定の着用方法により大腿部の捻れが生じなくなる。
【図面の簡単な説明】
【００１０】
【図１】衣類の構成図（正面）である。
【発明を実施するための形態】
【００１１】
以下、本発明の実施の形態について詳細に説明する。
【００１２】
図１は衣類の構成図（正面）である。例えば、衣類はニット、織物、不織布、ビニル、紙などの素材が用いられ、手首又は前腕に密着させて着用させ、長手方向の脇側にある縫目１２の先端または先端側を、軸に対して正面側に概ね９０度回転させた位置に、着用目印１１が配置され、伸縮性（ゴムを用いてもよい）を有する筒先１０を２つ備え、上半身に着用する上部１と、すね又は足首に密着させて着用させ、長手方向の股側にある縫目２２の先端または先端側を、軸に対して正面側に概ね９０度回転させた位置に、着用目印２１が配置され、該伸縮性を有する筒先２０を２つ備え、下半身に着用する下部２と、から構成される。
【００１３】
また、セーター（上部１）、肌着、寝巻、合羽、外套などを構成してもよい。また、着用目印１１、２１が編込み、刺繍、プリント、留め具（ボタンを含む）、パッチ、穴（ボタン穴を含む）などで構成される。着用目印１１、２１は、筒先１０、２０の縁（先端）に配置されてもよい。また、素材の表または裏の何れに配置してもよい。点線部は従来、着用時に捻れを生じ易かった上腕および大腿である。
【００１４】
上記実施形態において、衣類は上半身に着用する上部１であって、手首、又は前腕に密着させて着用させ、縁または先端側で、かつ、正面側の中間位置に、所定の着用方法により上腕の捻れを防ぐ着用目印１１が配置され、伸縮性を有する筒先１０を２つ備えることを特徴としてもよい。また、下半身に着用する下部２であって、すね、又は足首に密着させて着用させ、縁または先端側で、かつ、正面側の中間位置に、所定の着用方法により大腿の捻れを防ぐ着用目印２１が配置され、伸縮性を有する筒先２０を２つ備えることを特徴としてもよい。また、上部１と下部２を一体化させて、つなぎ服を構成させてもよい。
【００１５】
上記実施形態によれば、衣類は手首、前腕、すね又は足首に密着させる伸縮性を有した衣類の着用時に、着用目印を手の内側、すねまたは足首の正面に合せるように着用することで、上腕または大腿に捻れを生じさせないことができる。
【００１６】
また、例えば、セーターにおいて、伸縮する袖先に腕を通すと袖の正面がわからない状態なので、着用後に上腕部に捻れが生じてしまうが、本発明は着用目印により袖の正面が明らかとなり所定の着用方法により上腕部の捻れが生じなくなる。また、例えば、ステテコにおいて、伸縮する裾先に足を通すと裾の正面がわからない状態なので、着用後に大腿部に捻れが生じてしまうが、本発明は着用目印により裾の正面が明らかとなり所定の着用方法により大腿部の捻れが生じなくなる。
【符号の説明】
【００１７】
１…上部，２…下部，１０：２０…筒先，１１：２１…着用目印，１２：２２…縫目
【図１】
2014132124.tif 000003